(57)【特許請求の範囲】
【請求項１】
底部中央に軸通筒を備える調理容器と、
前記調理容器を載置する載置台と、前記載置台上に突出させた駆動軸と、前記駆動軸を回転させる回転機構と、前記載置台上に載置された前記調理容器を加熱する加熱手段と、前記調理容器の温度を検出する温度センサと、前記温度センサからの出力信号に基づいて前記加熱手段を制御するとともに前記駆動軸の回転を制御する制御部とを有する本体部と、
前記調理容器内で前記駆動軸の回転により回転するカッターとを備えた電動調理器であって、
前記制御部は、
前記調理容器が所定の温度となるように前記加熱手段を制御しながら、所定の長さの回転期間と所定の長さの停止期間とを繰り返して前記駆動軸を間欠的に回転させる間欠回転工程において、
一つの前記回転期間を複数の副回転期間と複数の副停止期間とにさらに分割した間欠駆動を行い、前記副回転期間において、当該期間での所定の回転数に到達するまで段階的に前記駆動軸の回転数を増加させて前記調理容器内の被調理物を調理する、電動調理器。
【請求項２】
前記制御部は、前記回転期間における最初の前記副回転期間の開始前に、前記駆動軸を前記最初の副回転期間における所定の回転数よりも低速で一定期間回転させる、請求項１に記載の電動調理器。
【請求項３】
底部中央に軸通筒を備える調理容器と、
前記調理容器を載置する載置台と、前記載置台上に突出させた駆動軸と、前記駆動軸を回転させる回転機構と、前記載置台上に載置された前記調理容器を加熱する加熱手段と、前記調理容器の温度を検出する温度センサと、前記温度センサからの出力信号に基づいて前記加熱手段を制御するとともに前記駆動軸の回転を制御する制御部とを有する本体部と、
前記調理容器内で前記駆動軸の回転により回転するカッターとを備えた電動調理器であって、
前記制御部は、
前記駆動軸を停止させた状態で、被調理物が投入された前記調理容器を加熱する予備加熱工程と、
前記調理容器が所定の温度となるように前記加熱手段を制御しながら、所定の長さの回転期間と所定の長さの停止期間とを繰り返して前記駆動軸を間欠的に回転させ、一つの前記回転期間を複数の副回転期間と複数の副停止期間とにさらに分割した間欠駆動を行う間欠回転工程と、
前記調理容器の温度が所定の温度となるように維持した状態で、前記回転機構を一定の時間、前記間欠回転工程における回転数よりも高速で回転させる高速回転工程とを順次行うことで、前記調理容器内の被調理物を調理する、電動調理器。
【請求項４】
前記制御部は、
前記駆動軸を停止させた状態で、被調理物が投入された前記調理容器を加熱する予備加熱工程と、
請求項１または２に記載された前記間欠回転工程と、
前記調理容器の温度が所定の温度となるように維持した状態で、前記回転機構を一定の時間、前記間欠回転工程における回転数よりも高速で回転させる高速回転工程とを順次行うことで、前記調理容器内の被調理物を調理する、電動調理器。
【請求項５】
前記制御部は、前記高速回転工程において、所定の回転数に到達するまで段階的に前記駆動軸の回転数を増加させる、請求項３または４に記載の電動調理器。
【請求項６】
前記高速回転工程の後の保温工程において、前記制御部が、前記調理容器に前記高速回転工程において加えられる熱量よりも少ない熱量を加える、請求項３〜５のいずれかに記載の電動調理器。
【請求項７】
前記加熱手段が誘導加熱コイルである、請求項１〜６のいずれかに記載の電動調理器。
【発明の詳細な説明】
【技術分野】
【０００１】
本願は、モーターによって調理容器内に配置されたカッターを回転させて食材を切断・粉砕・撹拌等して調理する電動調理器に関し、加熱手段により調理容器を加熱することで調理容器内部の被調理物の加熱調理を可能とする電動調理器に関する。
【背景技術】
【０００２】
主に家庭で使用される電動調理器として、モーターによって調理容器の中心に配置されたカッターを回転させて、調理容器内に投入された各種の調理材料を切断・粉砕したり撹拌したりするものが知られている。このような電動調理器として、果物や野菜などからジュースを作ることを主な目的とするジューサーと称されるものや、さまざまな調理のための下ごしらえなど、ジュース以外の調理にも広く使用されるフードプロセッサーと称されるものが知られている。
【０００３】
近年は、健康志向や内食志向などが追い風となって家庭内で各種の調理を行うことがブームとなっていて、特に、幅広い調理シーンで使用することができるフードプロセッサーの需要が拡大している。フードプロセッサーとしては、魚肉類、野菜類などを細かく切断したり、ジュースやスープを作ったりするための板状のブレード（調理刃）を備えたカッターの他に、おろし金を備えたカッターや、パン生地などを捏ねる羽根を備えたもの、さらに、スライスや千切り専用の回転刃を備えたカッターなど複数のカッターを装備して、調理の目的に応じてこれらのカッターを交換可能としたものが人気を博している。
【０００４】
また、フードプロセッサーにおいて、調理容器内の被調理物を加熱できるヒータを備え、加熱機能と自動撹拌機能とを有することでスープやカスタードクリームなどの調理が可能な加熱機能を備えたものも提案されている。
【０００５】
このような加熱機能を備えた電動調理器として、容器の温度を検出すると共に、カッターを回転させる電動機とヒータへの通電とを制御する制御部を備えたもの（特許文献１参照）が、また、加熱機能を備えた電動調理器において、吸気手段を調理容器の蓋部に設けて調理容器内を低酸素状態とすることを可能とし、被調理物の栄養成分の酸化を防止するとともに酵素反応を促進するもの（特許文献２参照）が、さらに、本体内に調理用の液体を収容するタンクを備え、制御手段が調理タイミングに合わせてタンク内に収容されていた水などの調理用液体を調理容器へと供給することで、所望の条件で蒸し炒め調理を行うことができるもの（特許文献３参照）などが提案されている。
【先行技術文献】
【特許文献】
【０００６】
【特許文献１】特許第２７７３３９２号公報
【特許文献２】特開２００８−２０６９０７号公報
【特許文献３】特開２００８−２８４１８７号公報
【発明の概要】
【発明が解決しようとする課題】
【０００７】
上記従来の加熱機能を備えた電動調理器は、調理容器内部に配置されるカッターや圧搾手段などを回転させる回転機構と調理容器を加熱する加熱手段とを備えることで、高栄養価のスープ作りなどの新しい調理を積極的に提案するものである。
【０００８】
このような加熱機能を備えた電動調理器において、加熱手段による加熱機能とカッターを回転させることによる食材の切断・粉砕・撹拌機能とをより高度に制御することで、従来の電動調理器では実現し得なかった、食材の食感をも調整可能としたさらに多くの新しい調理方法を実現して電動調理器に対する新たなニーズを開拓できる可能性がある。
【０００９】
本開示はこのような課題を解決するものであり、加熱機能を備えて一層幅広い調理内容を実現できる電動調理器において、加熱調理時のカッターの回転を好適に制御することで、ユーザの好みに応じた調理が可能な電動調理器の製品化に資するものである。
【課題を解決するための手段】
【００１０】
上記課題を解決するため、本願で開示する電動調理器は、底部中央に軸通筒を備える調理容器と、前記調理容器を載置する載置台と、前記載置台上に突出させた駆動軸と、前記駆動軸を回転させる回転機構と、前記載置台上に載置された前記調理容器を加熱する加熱手段と、前記調理容器の温度を検出する温度センサと、前記温度センサからの出力信号に基づいて前記加熱手段を制御するとともに前記駆動軸の回転を制御する制御部とを有する本体部と、前記調理器内で前記駆動軸の回転により回転するカッターとを備えた電動調理器であって、前記制御部は、前記調理容器が所定の温度となるように前記加熱手段を制御しながら、所定の長さの回転期間と所定の長さの停止期間とを繰り返して前記駆動軸を間欠的に回転させる間欠回転工程において、一つの前記回転期間を複数の副回転期間と複数の副停止期間とにさらに分割した間欠駆動を行い、前記副回転期間において、当該期間での所定の回転数に到達するまで段階的に前記駆動軸の回転数を増加させて前記調理容器内の被調理物を調理する。
【発明の効果】
【００１１】
本願で開示する電動調理器は、加熱手段と駆動軸の回転とを制御する制御部が、回転期間と停止期間とを繰り返す間欠回転工程において、一つの回転期間を複数の副回転期間と複数の副停止期間とにさらに分割した間欠駆動を行う。このため、例えば飲むスープのような液体中に比較的小さな具材が混じる被調理物の場合でも、具材を底面に近い位置に維持することができて加熱効率の低下を回避することができ、さまざまな調理方法での調理を効率よく行うことができる電動調理器を実現することができる。
【図面の簡単な説明】
【００１２】
【図１】実施の形態にかかるフードプロセッサーの外観を示す側面図である。
【図２】実施の形態にかかるフードプロセッサーを構成する各部材の外観を示す分解斜視図である。
【図３】実施の形態にかかるフードプロセッサーの内部の構成を示す断面図である。
【図４】実施の形態にかかるフードプロセッサーの「飲むスープ」モードにおける動作例を説明するフローチャートである。
【図５】実施の形態にかかるフードプロセッサーの第１の動作例における、調理容器の温度と駆動軸の回転数の推移を説明するためのグラフである。
【図６】実施の形態にかかるフードプロセッサーの第１の動作例における、間欠回転工程での駆動軸の回転制御についてのフローチャートである。
【図７】実施の形態にかかるフードプロセッサーの第２の動作例における、調理容器の温度と駆動軸の回転数の推移を説明するためのグラフである。
【図８】実施の形態にかかるフードプロセッサーの第２の動作例における、間欠回転工程での駆動軸の回転制御についてのフローチャートである。
【発明を実施するための形態】
【００１３】
本願で開示する電動調理器は、底部中央に軸通筒を備える調理容器と、前記調理容器を載置する載置台と、前記載置台上に突出させた駆動軸と、前記駆動軸を回転させる回転機構と、前記載置台上に載置された前記調理容器を加熱する加熱手段と、前記調理容器の温度を検出する温度センサと、前記温度センサからの出力信号に基づいて前記加熱手段を制御するとともに前記駆動軸の回転を制御する制御部とを有する本体部と、前記調理容器内で前記駆動軸の回転により回転するカッターとを備えた電動調理器であって、前記制御部は、前記調理容器が所定の温度となるように前記加熱手段を制御しながら、所定の長さの回転期間と所定の長さの停止期間とを繰り返して前記駆動軸を間欠的に回転させる間欠回転工程において、一つの前記回転期間を複数の副回転期間と複数の副停止期間とにさらに分割した間欠駆動を行って前記調理容器内の被調理物を調理する。
【００１４】
本開示にかかる電動調理器は上記の構成を備え、制御部が加熱手段と駆動軸の回転とを制御して、調理容器内の被調理物を所定のプログラムにしたがって加熱調理することができる。特に、調理容器が所定の温度となるように加熱手段を制御しながら、所定の長さの回転期間と所定の長さの停止期間とを繰り返して駆動軸を間欠的に回転させる間欠回転工程において、制御部が、一つの回転期間を複数の副回転期間と複数の副停止期間とにさらに分割した間欠駆動を行うことで、液体に比較的小さな具材が混じった被調理物の場合でも、具材を調理容器の底面近傍に位置させることができる。このため、具材に加熱手段からの熱が十分に伝わると共に、具材が調理容器の底面に焦げ付いてしまうことを防止でき、さらに、大きな具材や硬い具材が投入された場合でも、十分に柔らかくなった状態で粉砕することができる。
【００１５】
本開示にかかる電動調理器では、前記制御部は、前記副回転期間において、当該期間での所定の回転数に到達するまで段階的に前記駆動軸の回転数を増加させることが好ましい。このようにすることで、カッターの刃が回転した際に調理容器内の被調理物が、蒸気と共に蒸気口から調理容器の外部に飛び出してしまうことを効果的に防止することができる。
【００１６】
また、前記制御部は、前記回転期間における最初の前記副回転期間の開始前に、前記駆動軸を前記最初の副回転期間における所定の回転数よりも低速で一定期間回転させることが好ましい。このようにすることで、比較的長時間にわたって回転が停止していた、回転期間の最初においても、低速で回転するカッターの刃によって具材を効果的にかき混ぜることができ、調理容器内の具材が蒸気と共に蒸気口から調理容器の外部に飛び出してしまうことをさらに効果的に防止することができる。
【００１７】
また、本開示のフードプロセッサーにおいて、前記制御部は、前記駆動軸を停止させた状態で、被調理物が投入された前記調理容器を加熱する予備加熱工程と、本開示にかかるいずれかの間欠回転工程と、前記調理容器の温度が所定の温度となるように維持した状態で、前記回転機構を一定の時間、前記間欠回転工程における回転数よりも高速で回転させる高速回転工程とを順次行うことで、前記調理容器内の被調理物を調理することが好ましい。このようにすることで、具材をとろみのあるポタージュ状にした「飲むスープ」などを自動的に調理することができる。
【００１８】
さらに、前記制御部は、前記高速回転工程において、所定の回転数に到達するまで段階的に前記駆動軸の回転数を増加させることが好ましい。このようにすることで、高速回転工程においても、被調理物が蒸気と共に蒸気口から外に飛び出してしまう事態を効果的に防止することができる。
【００１９】
また、前記高速回転工程の後の保温工程において、前記制御部が、前記調理容器に前記高速回転工程において加えられる熱量よりも少ない熱量を加えることが好ましい。このようにすることで、調理の完了後しばらく経った状態でも、できたてと変わらないおいしい料理をユーザに提供することができる。
【００２０】
さらに、前記加熱手段が誘導加熱コイルであることが好ましい。加熱手段に誘導加熱コイルを用いることで、調理容器の温度制御をより高い精度で行うことができる。
【００２１】
以下、本願で開示する電動調理器について、具体例を示しながら図面を参照して説明する。
【００２２】
（実施の形態）
以下では、本願で開示する電動調理器の実施の形態として、加熱手段としての誘導加熱コイルを備えたフードプロセッサーであって、調理容器内部に配置された伝達軸に、調理目的に応じて各種カッターを交換可能に固定でき、制御部によって誘導加熱コイルから調理容器に加えられる熱量と、カッターを回転させる駆動軸の回転とを制御して、各種調理をプログラム可能なものを例示して説明する。
【００２３】
本実施形態にかかるフードプロセッサーは、野菜や魚肉類のみじん切り等の他に、ジュースやスープなどの液体、パン粉などの粉体を用いた調理に加え、加熱と撹拌や具材の切断とを同時に行って、各種のスープやシチュー、カレーのルーなどを調理可能なものである。
【００２４】
＜フードプロセッサーの構成例＞
図１は、本実施形態にかかるフードプロセッサーの全体構成を示す斜視図である。また、図２は、本実施形態にかかるフードプロセッサーの各部の構成を示す分解斜視図である。
【００２５】
図１に示すように、本実施形態でその形状を例示するフードプロセッサーは、本体部１と本体部１の載置台１ｃ上に載置された調理容器２と、調理容器２の上部開口を覆って閉塞可能な蓋体３とを備えている。
【００２６】
本体部１は、その上面が載置台１ｃを形成する本体下部１ａと、本体下部１ａの載置台１ｃ部分以外の部分の上方に配置された側面側上部１ｂとで構成されている。また、本体部１の内部には、調理容器２内に配置される調理刃（ブレード）４ａ付きのカッター４を回転させる、図１、図２では図示しない回転機構が収容されている。
【００２７】
本体下部１ａの上面として形成された載置台１ｃは略円形に構成され、載置台１ｃの中央部からは、調理容器２の内部に挿通されてカッター４を回転させる駆動軸５が突出している。なお、載置台１ｃは、その中央部分１ｃ１がより高く、周辺部分１ｃ２がより低く形成されている。また、本実施形態にかかるフードプロセッサーでは、図１、図２では図示しない加熱手段としての誘導加熱コイルで調理容器２を加熱する際に、調理容器２の温度を制御して各種の調理プログラムを実行可能とするため、載置台１ｃの駆動軸５配置部分の側方に調理容器２が載置された際にその底部と接触して調理容器２の温度を検出する温度センサ６が配置されている。
【００２８】
本体部１の側面側上部１ｂは、載置台１ｃ上に載置された調理容器２の一部を側方から包み込むように載置台１ｃ側の側面が湾曲凹面に形成されている。このようにすることで、調理容器２を本体部１に対して正しい位置に載置し易くすると共に、調理容器２が載置された状態での機器外観のデザイン性を向上させている。側面側上部１ｂの、調理容器２に対向する面とは反対側の上方部分には、側面側上部１ｂ内への冷却風の取り入れ口である上部吸気口７が形成されている。
【００２９】
本体下部１ａの、側面側上部１ｂが配置された側とは反対側の側面（図１、図２における左側の側面）には、フードプロセッサーを動作させるための操作部８が配置されている。操作部８には、電源スイッチや各種の操作ボタン、操作ダイヤル、また、設定されたプログラムの内容やフードプロセッサーの動作状態を表示するためのランプや表示デバイスとしての液晶パネルなどが必要に応じて適宜配置される。なお、図１および図２で示した操作部８の配置位置は例示であって、操作部８の配置位置は、本実施形態において操作部が配置されている本体下部１ａの側面側上部１ｂが配置された側の側面とは反対側の側面二は限られず、本体部１の他の側面、すなわち、図１、図２における手前側、奥側、または、右側に位置する本体下部１ａの側面、さらには、側面側上部１ｂに配置することも可能である。
【００３０】
本体下部１ａの底面には、フードプロセッサーが載置されるテーブルや流し台などの表面から本体部１の底面を離間させることができる複数個の脚部９が配置されている。このようにすることで、載置される面に微細な凹凸や段差がある場合でもフードプロセッサーを安定して載置することができ、また、本体部１の底面と載置面との間の空間が確保できる。
【００３１】
本実施形態のフードプロセッサーの調理容器２は、内部に被調理物を入れて調理を行うワークボウル２ａと、ワークボウル２ａの外側を覆うカバー部材２ｂとで構成されている。
【００３２】
ワークボウル２ａは、誘導加熱コイルからの誘導磁界によって渦電流を生じさせることができるように、ステンレスなどの金属材料で構成された略有底円筒状の部材である。ワークボウル２ａの底面中央には、調理容器２を載置台１ｃ上に載置した際に、載置台１ｃ上に突出する駆動軸５を内蔵する軸カバー１１の外表面を覆う軸通筒１２が配置されていて、軸通筒１２にカッター４を被せるように配置することで、駆動軸５の回転によりカッター４が回転するようになっている。
【００３３】
ワークボウル２ａの上端部分には、外方へ延出した鍔部１３が形成されている。また、ワークボウル２ａの外側面には、外方へ突出するリブ１４が断続的に複数個配置されている。
【００３４】
カバー部材２ｂは、ワークボウル２ａの側面を覆う円筒状の部材であり、カバー部材２ｂの上端縁にワークボウル２ａの鍔部１３が重なって、ワークボウル２ａを保持する。カバー部材２ｂの内側表面には、ワークボウル２ａのリブ１４と係合する突起部１５（図３参照）が形成されていて、ワークボウル２ａとカバー部材２ｂとが着脱可能となっている。カバー部材２ｂの側面には把手１６が固着されていて、ユーザは把手１６を用いて、ワークボウル２ａとカバー部材２ｂとが一体化された調理容器２を持ち運びすることができる。
【００３５】
また、ワークボウル２ａが固着された状態で、ワークボウル２ａの側面外側とカバー部材２ｂの側面内側との間には所定の間隔が形成されるようになっている。このため、誘導加熱コイルによってワークボウル２ａの温度が高くなっている場合でも、ユーザは、把手１６を用いて調理容器２を安全に持ち運びすることができ、また、本体部１に載置した状態で不用意に調理容器２の部分に触れた場合でも、やけどなどをする危険からユーザを保護することができる。
【００３６】
本実施形態のフードプロセッサーでは、ワークボウル２ａが固着された状態で、カバー部材２ｂの底部がワークボウル２ａの底面よりも下方側に延出するようになっていて、調理容器２を本体部１の載置台１ｃ上に載置した際、カバー部材２ｂの延出部分が載置台１ｃの周辺部分１ｃ２に位置するようになっている。このようにすることで、調理容器２を載置台１ｃ上に載置した際に、載置台１ｃの中心位置と調理容器２の中心位置とを容易に一致させることができ、ワークボウル２ａの底面中央の軸通筒１２に正しく軸カバー１１が嵌り込むようにすることができる。また、本実施形態のフードプロセッサーでは、載置台１ｃの中央部分１ｃ１が高くなっていることで、載置台１ｃ上に配置されたワークボウル２ａの底面と載置台１ｃの裏側面に配置された誘導加熱コイルとの距離を小さくして、ワークボウル２ａの加熱効率を高く維持することができる。
【００３７】
なお、本実施形態のフードプロセッサーの調理容器では、カバー部材２ｂと把手１６とが樹脂で一体成型された構成を例示しているが、把手１６の少なくともその一部分をカバー部材２ｂとは別の部材で構成することもできる。
【００３８】
蓋体３は、一例として透明なガラス材料または樹脂材料により形成されていて、調理容器２のワークボウル２ａ上側の開口部分を閉塞することが可能な略円板状の部材である。蓋体３の上面中央には、ユーザが蓋体を保持できるようにつまみ部１７が形成されている。また、本実施形態のフードプロセッサーでは、蓋体３によって調理容器３の開口部分が密閉閉塞されてしまうと加熱調理中に調理容器２の内部空間の圧力が上昇するため、蓋体３には調理容器２内部の空間と外部とを連通する蒸気口１８が配置されていて、蓋体３を装着した状態でも調理容器２の内部空間が密閉されないようになっている。
【００３９】
蓋体３の周辺部分には、蓋体３がワークボウル２ａの上面を覆った際に、ワークボウル２ａの鍔部１３とカバー部材２ｂの上端とに当接可能な厚肉の枠部１９が配置されている。枠部１９には、カバー部材２ｂの把手１６の上端部分と係合する第１の突起部１９ａと、本体部１の側面側上部１ｃの上端部に形成された溝部１ｄに係合する第２の突起部１９ｂとが形成されていて、本体部１、調理容器２、蓋体３を一体化することができるようになっている。
【００４０】
図３は、本実施形態のフードプロセッサーの内部の構成を説明するための側断面図である。図３は、フードプロセッサーを調理容器２の把手１６の中心線と本体部１の側面側上部１ｂの中心部とを結ぶ直線で分断した時の断面構成を示している。
【００４１】
図３に示すように、本体部１の本体下部１ａの上面である載置台１ｃの中心部分を貫通して駆動軸５が配置されている。また、本体部１の側面側上部１ｂの内部にはモーター２０が配置されている。モーター２０のシャフト２１に接続された回転板２２の回転が、連動ベルト２３によって駆動軸５の下端部に固定されたプーリー２４に伝えられることで、駆動軸５が所定の回転数で回動する。このように、本実施形態のフードプロセッサーでは、モーター２０、シャフト２１、回転板２２、連動ベルト２３、プーリー２４が、駆動軸５を回転させる回転機構を構成する。
【００４２】
モーター２０のシャフト２１は、モーター２０の上方側にも伸びていて、発熱するモーター２０の温度を下げるために、モーター２０の上方に配置されるモーターファン２５の回転軸と兼用されている。モーター２０は、シャフト２１を回転させることで駆動軸５を回転させると同時に、自身を冷却するためのモーターファン２５を回転させる。
【００４３】
載置台１ｃ上に突き出た駆動軸５は軸カバー１１で覆われている。調理容器２が載置台１ｃ上の所定の位置に載置されると、軸カバー１１が調理容器２のワークボウル２ａ底部中央に形成された軸通筒１２の内部に挿入され、駆動軸５が回転すると調理容器２の軸通筒１２内部で軸カバー１１が同様に回転する。
【００４４】
軸カバー１１の上端部に、カッター４の中心軸であるカッター軸部４ｂを被せるように差し込むことで、軸カバー１１の外表面とカッター軸部４ｂの内表面とが摺接されるとともに、軸カバー１１とカッター軸部４ｂとに形成された凹凸部が嵌合するようになっていて、カッター４を駆動軸５の回転に伴って回転可能なように取り付けることができる。
【００４５】
このとき、調理容器２のワークボウル２ａ底部に形成された軸通筒１２は、カッター軸部４ｂに形成された空洞部分の内側に差し込まれる状態となるため、軸通筒１２はカッター４の回転の妨げとはならないようになっている。なお、カッター４には、そのカッター４を用いて行う調理目的に応じた形状のブレード４ａが固着されている。本実施形態のフードプロセッサーでは、調理目的に応じて、図２、図３において図示した調理刃である切断用のブレード４ａに限らず、円板に複数個の開口部と微小突起が形成されたおろし金や、板状または棒状の突起物などによる撹拌部材、パン生地などを捏ねる羽根状部材など、各種形状の部材がブレード４ａに替わって固着されたカッター４を交換可能に装着できる。
【００４６】
その上方に調理容器２のワークボウル２ａの底面が配置される載置台１ｃの裏面、すなわち、載置台１ｃの本体部１の内部側の面には、平面視したとき環状である誘導加熱コイル２６が配置されている。誘導加熱コイル２６は、その環状中心が駆動軸５に略一致するように配置されている。このように、誘導加熱コイル２６の中心を駆動軸５と略一致させることで、誘導加熱コイル２６をワークボウル２ａの底面とほぼ同軸の状態で配置することができ、ワークボウル２ａを効果的に暖めることができる。なお、誘導加熱コイル２６の中心を駆動軸５と略一致させることで、誘導加熱コイル２６は、駆動軸５の下端部に固着されたプーリー２４とも略同軸状に配置されることになる。
【００４７】
本実施形態にかかるフードプロセッサーでは、本体下部１ａの内部で、駆動軸５を回動可能に支持すると共に、シャフト２１が回動可能な状態でモーター２０を支持するベースプレート２７が配置されている。ベースプレート２７は、剛性の高いメッキ鋼板などの金属製部材で形成されていて、回転機構を構成するモーター２０のシャフト２１や駆動軸５が傾いたり、シャフト２１と駆動軸５との間の距離が変動したりすることを防止して、連動ベルト２３を介して、モーター２０のシャフト２１に接続された回転板２２の回転を確実に駆動軸５に固定されたプーリー２４へと伝えることができる。ベースプレート２７は、その主面方向が水平方向となるように、本体下部１ａの内部に略水平に配置されている。
【００４８】
また、本実施形態のフードプロセッサーでは、シャフト２１の回転を駆動軸５に伝達する回転板２２、連動ベルト２３、プーリー２４をベースプレート２７の下面側に配置し、ベースプレート２７の上面側にモーター２０を配置している。なお、誘導加熱コイル２６は、載置台１ｃの裏面に配置されているため、ベースプレート２７の上面側に位置していて、モーター２０と誘導加熱コイル２６とは、いずれもベースプレート２７の上面側で水平方向、すなわち、ベースプレート２７の配置方向に平行となる位置に並ぶように配置されていることとなる。
【００４９】
本体下部１ａのプーリー２４の配置位置よりもさらに下側には、モーター２０や誘導加熱コイル２６などのフードプロセッサーの各部分へ必要な電源を供給する電源回路部品や、フードプロセッサーの各部分の状態を検出したり動作を制御したりする制御回路部品などの各種電気回路部品２８が搭載された回路基板２９が配置されている。
【００５０】
本実施形態にかかるフードプロセッサーでは、回路基板２９上に配置された電気回路部品２８の一つとしてのマイクロコンピュータが制御部としての機能を果たす。制御部であるマイクロコンピュータは、操作部８によりユーザから入力指示された調理内容にしたがって、温度センサ６からの信号として入力される調理容器の温度情報に基づいて、誘導加熱コイル２６に投入される電力量を制御することで、調理容器２の温度を所定の温度となるように制御する。また、制御部は、モーター２０のコイルに流れる電流量を直接制御することで、モーターの回転／停止と回転時の回転数とを制御し、回転機構を介して回転が伝えられる駆動軸５の回転を制御する。制御部が駆動軸の回転を制御することで、駆動軸とともに回転する調理容器２内のカッター４の回転を制御することができる。
【００５１】
なお、制御部は、上記例示したマイクロコンピュータで構成する場合に限られず、加熱手段から調理容器に加えられる熱量と、カッターを回転させる駆動軸の回転を制御することができる従来公知の制御回路手段、例えば、論理回路の組合せ等によって形成することも可能である。また、制御部は、制御プログラムや動作経歴などを記憶する記憶手段を備える構成とすることができる。さらにまた、上記では、制御部を回路基板２９上に配置した例を示したが、制御部を操作部８の回路基板上、または、本体部内の他の部分に配置された電気回路基板上に配置することもできる。
【００５２】
回路基板２９のさらに下方の本体下部１ａの底面近傍には、回路基板２９と操作部８との間の部分に、冷却ファンである本体ファン３０が配置されている。また、本実施形態にかかるフードプロセッサーでは、本体ファン３０の配置位置に対応して本体下部１ａの底面に、底面吸気口３１が形成されている。
【００５３】
本体ファン３０は、底面吸気口３１から外部の空気を吸い込んで、動作時に高温となる誘導加熱コイル２６と発熱源となる回路基板２９上に配置された電気回路部品２８とに冷却風を送風する。なお、本実施形態のフードプロセッサーでは、本体ファン３０の約半分が回路基板２９と重なるように配置すると共に、回路基板２９の端部であって本体ファン３０の回転軸の上方に相当する位置に仕切り板３２を形成し、本体ファン３０からの冷却風が、誘導加熱コイル２６と回路基板２９上の電気回路部品２８との双方に確実に供給されるようになっている。
【００５４】
本体下部１ａの底面における底面吸気口３１とは反対側の位置、すなわち、モーター２０が配置されている位置の下方に相当する部分には、第１の排気口３３が形成されている。第１の排気口３３は、本体部１の上部に配置された上部吸気口７と本体部１の底面に配置された底面吸気口３１とから本体部１内に吸入された冷却風の出口となる。
【００５５】
また、本実施形態のフードプロセッサーでは、回路基板２９と対向する位置の本体部１の底面に、第２の排気口３４が形成されている。第１の排気口３３と第２の排気口３４との間には、回路基板２９の配置部分とモーター２０配置部分の下方部分との空間を分離する隔壁３５が配置されている。
【００５６】
本実施形態のフードプロセッサーでは、回転機構を支持するベースプレート２７が、モーター２０のシャフト２１と駆動軸５との位置関係を規定してシャフト２１の回転を駆動軸５へと確実に伝達させるための部材として機能すると同時に、ベースプレート２７が、本体部１内の冷却風の通風経路の形成にも寄与して、本体部１内の発熱部品を効率的に冷却することができる。特に本実施形態のフードプロセッサーでは、より細かな温度制御を可能とするために、加熱手段として高温となる誘導加熱コイルを用いているため、本体部内部の空気の流れを制御して本体部内部の温度が異常な高温となることがないように配慮されている。
【００５７】
＜フードプロセッサーの動作例＞
以下、上記構成例を説明した本実施形態にかかるフードプロセッサーの動作例を説明する。
【００５８】
以下では、本願で開示するフードプロセッサーとして、「きざむ」、「飲むスープ」、「食べるスープ」、「あたため再加熱」の４つの調理モードを備えたものを例示して説明する。ここで、「きざむ」モードとは、従来のフードプロセッサーのように、加熱することなく食材を切断、撹拌等する調理モードである。「飲むスープ」モードとは、例えば、ポタージュスープ等の具材が細かく砕かれた状態で混じっている、比較的きめが細かく流動性が低いスープを調理するモードである。「食べるスープ」モードとは、例えば、ミネストローネ等の具材がその本来の形状を保ったまま液体状のスープに混じっているものであり、比較的きめが粗く流動性が高いスープを調理するモードである。「あたため再加熱」モードとは、一度冷えてしまったスープを温め直す調理モードである。
【００５９】
なお、本実施形態にかかるフードプロセッサーは、ユーザがこれらの調理モードでの調理を容易に指示することができるように、図１から図３を用いて説明した上述の構成例における操作部８に、上記４つの調理モードを指示するための操作ボタンを備えている。また、調理を一時的に中止する場合や、入力操作の取消が容易にできるように、「一時停止」ボタン、「取消」ボタンを備えている。
【００６０】
以下、具材をより細かく粉砕した状態のスープを調理する、「飲むスープ」モードでの調理を行う場合の動作例を説明する。
【００６１】
［第１の動作例］
図４は、本実施形態にかかるフードプロセッサーにおいて、「飲むスープ」モードでの調理を行う場合の動作を示すフローチャートである。また、図５は、「飲むスープ」モードでの調理時における、調理容器の温度と駆動軸の回転数との推移を示す図である。図５において、上段が調理容器の温度の推移を、下段がカッターを回転させる駆動軸の回転数の推移を、それぞれ示している。
【００６２】
ユーザは、ワークボウル２ａをカバー部材２ｂの内部に収めて調理容器２として一体化した後、把手１６を用いて調理容器２を本体部１の載置台１ｃ上に載置する。次にユーザは、ワークボウル２ａ内の軸通筒１２にカッター４を被せるようにセットし、ワークボウル２ａ内に被調理物としての所定量の水と具材とを投入する。さらにユーザは、調理容器２の開口部に蓋体３を装着した後、載置台１ｃ上に載置した調理容器２を時計周りに少し回転させることで、前述した蓋体３の第２の突起部１９ｂを本体部上部１ｂの溝部１ｄに係合させることができ、この状態が、調理容器２と蓋体３とが本体部１上に正しく載置された状態となる。なお、ユーザは、調理容器２内にカッター４を配置するとともに被調理物である水と具材とを投入し、蓋体３を閉じた状態で、調理容器２を本体部１の載置台１ｃ上に載置することもできる。
【００６３】
ユーザが、被調理物を収容した調理容器２を載置台１ｃ上に載置した後、操作部８の「飲むスープ」モードの開始を指示する調理ボタンを操作することで、「飲むスープ」モードでの調理が開始される。
【００６４】
図４に示すフローチャートにおいて、「飲むスープ」モードでの調理が開始されると、制御部は、まず調理容器２が載置台１ｃ上に正しく載置されたか否かの載置確認を行う（ステップＳ０１）。
【００６５】
載置確認は、例えば、載置台１ｃ上にその先端部分が突出して配置されている温度センサ６が、載置された調理容器２の底面で押し下げられることを検出する機構によって行うことができる。また、本体上部１ｂの溝部１ｄに蓋体３の第２の突起部１９ｂが係合されたことを検知する機構を設けて確認することもできる。
【００６６】
さらにまた、例えば、「飲むスープ」モードの調理ボタンが操作されてすぐに、制御部がモーター２０の回転を制御して、カッター４を高速で短時間回転させて、蓋体３の隙間からの被調理物の吹きこぼれが無いことをユーザが確認できようにすることで、載置確認が行われるようにしてもよい。
【００６７】
載置確認（ステップＳ０１）の結果、調理容器２が正しく載置されていない場合（「Ｎｏ」の場合）、制御部は、調理動作を中止し「飲むスープ」モードの調理を終了させる。この場合は、必要に応じて、例えば警告ランプや音声を用いて、ユーザに調理容器２が正しく載置されていないことを知らせるような警告表示を行う設定（ステップＳ０７）とすることができる。
【００６８】
載置確認（ステップＳ０１）の結果、調理容器２が正しく載置されていることが検出された場合（「Ｙｅｓ」の場合）、制御部は、誘導加熱コイル２６に通電して調理容器２を暖める、図５に示した予備加熱工程を開始する（ステップＳ０２）。
【００６９】
調理容器２内に投入された具材をなるべく小さく粉砕したスープを調理する「飲むスープ」モードでは、具材が十分に柔らかくなった後にカッター４で粉砕する調理プログラムとなる。このため、調理の開始時点からなるべく短時間で調理容器２内の水の温度を所定の温度（Ｔ１、一例として１００℃）まで上昇させることが必要となり、予備加熱工程（ステップＳ０２）では、制御部は、誘導加熱コイル２６に最大限である１００％の電力を連続的に印加投入する。
【００７０】
このとき、調理容器２の温度は、図５に示すように調理開始時の温度（Ｔ０）から上昇していく。また、予備加熱工程では、制御部はモーター２０に電流を流さず、駆動軸５を回転させない。
【００７１】
なお、制御部は、温度センサ６からの信号出力を監視することで、例えば調理開始時の調理容器２の温度が所定の閾値（一例として、１００℃）よりも高い場合や、誘導加熱コイル２６から調理容器２に加えられる熱量に対して調理容器２の温度上昇が異常に速く、調理容器２内に所定量の水が供給されていない「空焚き」状態であることが疑われる場合等の、各種の異常が検出された場合（ステップＳ０３で「Ｙｅｓ」の場合）には、必要に応じてユーザに異常を警告（ステップＳ０７）した後、調理を終了する。
【００７２】
異常検出がされなかった場合（ステップＳ０３で「Ｎｏ」の場合）、制御部は予備加熱工程における調理容器２の加熱を行い、所定の条件が満たされた場合に、次の間欠回転工程（ステップＳ０４）に移行する。
【００７３】
予備加熱工程から間欠回転工程へと移行する所定の条件としては、例えば図５に示すように、制御部が、温度センサ６が検知する調理容器２の温度が所定の温度Ｔ２（＜Ｔ１、一例として７５℃）を超えたことを検知した場合を設定することができる。また、調理容器２の温度が、所定の温度Ｔ１に到達したことを検知してから、間欠回転工程に移行するように設定することも可能である。さらに、予備加熱工程の開始時からタイマーを動作させて、当該タイマーによって、予備加熱工程の開始から所定の時間（一例として８分間）が経過した場合に、予備加熱工程から間欠回転工程に移行するように設定することもできる。
【００７４】
なお、予備加熱工程から間欠回転工程への移行のタイミングは、間欠回転工程において、カッター４が被調理物として調理容器２内に投入された具材が暖まることで柔らかくなって、容易にほぼ一定の大きさに切断することができる状態になることを目安として決定することが好ましい。
【００７５】
間欠回転工程（ステップＳ０４）において、制御部は、調理容器２の温度を所定の温度Ｔ１に維持することができるように、誘導加熱コイル２６に投入する電力を調整する。具体的に制御部は、間欠加熱工程に移行した後、調理容器２の温度が温度Ｔ１に到達するまでの間は誘導加熱コイル２６への投入電力を１００％から徐々に低減させて、調理容器２の温度が一時的に温度Ｔ１を大きく上回る、いわゆるオーバーシュートが起きないように調整する。また、調理容器２の温度がＴ１に到達した後は、当該温度から所定の範囲内の温度（一例として±３℃）を維持できるように適宜必要な電力（３０％〜７０％出力）を連続して、または間欠的に誘導加熱コイル２６に印加する。
【００７６】
間欠回転工程において制御部は、駆動軸５を、所定期間の回転期間ｔ１（一例として４５秒間）と、所定時間の停止期間ｔ２（一例として４５秒間）とを繰り返して、所定の回転数Ｒ２（一例として２００ｒ．ｐ．ｍ．）で間欠的に回転させる。
【００７７】
このように、間欠回転工程で調理容器２の温度を所定の温度Ｔ１に維持しながら、駆動軸５を間欠的に回転させることで、調理容器２内の被調理物は、比較的低速で回転するカッター４によってかき混ぜられると共に、一定以上の大きさの具材が切断される。このように、調理容器２を暖めながらカッター４を間欠的に回転させる間欠回転工程を設けることによって、後の高速回転工程において具材がカッター４によって微細に粉砕することができる状態になるように具材を芯まで加熱するに当たって、具材が調理容器２内面の底に溜まって焦げ付きを起こさないようにすることができる。また、大きな具材が切断されることで具材をほぼ一定の大きさに揃えることができ、後の高速回転工程で、具材を微細に粉砕することが容易となる。
【００７８】
間欠回転工程における、所定の温度Ｔ１と、回転期間ｔ１と停止期間ｔ２との長さは、例えば具材の深部にも十分熱が通った状態となっているなどのように、高速回転工程に移行する際の具材の状態が高速回転工程での処理に好ましい状態となることを基準に適宜定められる。本実施形態では、このような観点から、一例として、間欠回転工程の期間を２０分間、回転期間と停止期間との長さをいずれも４５秒間と設定している。なお、回転期間と停止期間の長さとが同じであることは必須ではなく、いずれかの長さを他方の長さよりも長くすることができる。
【００７９】
本実施形態のフードプロセッサーでは、制御部は、間欠回転工程の回転期間ｔ１において、駆動軸５の回転数を一定の値Ｒ２で維持するのではなく、回転期間ｔ１における駆動軸５の回転数をさらに詳細に制御して、図５に示すように、回転期間ｔ１を副回転期間ｔ１１と副停止期間ｔ１２にさらに細分化した間欠回転駆動を行っている。
【００８０】
図６は、本実施形態のフードプロセッサーにおける、間欠回転工程での制御部の駆動軸の回転数の制御の流れを示すフローチャートである。
【００８１】
図６に示すように、間欠回転工程に移行すると（ＳＴＡＲＴ）、制御部は、まず工程期間タイマーをスタートさせる（ステップＳ１０１）。この工程期間タイマーは、間欠回転工程として設定された時間をカウントするもので、予備加熱工程から間欠回転工程に移行したときにスタートし、この工程期間タイマーが所定の時間（一例として２０分間）をカウントすると、制御部は間欠回転工程を終了して次の高速回転工程へと移行する。
【００８２】
ステップＳ１０１で、工程期間タイマーをスタートさせた後に、制御部は、回転期間と停止期間とを繰り返す間欠回転工程での駆動軸５の回転を制御するために、回転期間タイマーをスタートさせる（ステップＳ１０２）。本実施形態のフードプロセッサーの場合、回転期間ｔ１は、一例として４５秒間であるため、回転期間タイマーは４５秒間をカウントする。
【００８３】
回転期間ｔ１において、制御部は、駆動軸５を副回転期間ｔ１１の間回転動作させ、副停止期間ｔ１２の間停止させる、細分化された間欠駆動を行う（ステップＳ１０３）。本実施形態の動作例では、副回転期間ｔ１１（ＯＮ時間）を一例として１．５秒間、副停止期間ｔ１２（ＯＦＦ時間）を一例として０．７秒間として動作させている。
【００８４】
制御部は、この回転期間ｔ１における細分化された間欠駆動を行いながら回転期間タイマーが所定時間経過を検知し、終了となるか否かを確認する（ステップＳ１０５）。回転期間タイマーが所定期間ｔ１，本動作例では４５秒間経過したことを検知すると（「Ｙｅｓ」の場合）、間欠回転工程における停止期間ｔ２に移行するため、制御部は、停止期間ｔ２をカウントする停止期間タイマーをＯＮさせる（ステップＳ１０６）。本動作例では、停止期間ｔ２も回転期間ｔ１と同様に４５秒間と設定されている。
【００８５】
停止期間タイマーを動作させた後、制御部は駆動軸５の回転を停止させて（ステップＳ１０７）、停止期間ｔ２にはいる。なお、図５では、図面が煩雑となることを防ぐために、副回転期間ｔ１１が３回で回転期間ｔ１となるように示されているが、本実施形態の場合、回転期間ｔ１が４５秒間であるのに対して細分化された間欠駆動の一周期が２．２秒（ＯＮ１．５秒＋ＯＦＦ０．７秒）であるため、実際には、一つの回転期間ｔ１の中に、２１回の副回転期間ｔ１１が含まれることとなる。
【００８６】
停止期間タイマーが、所定時間（ｔ２、４５秒間）が経過するまで（ステップＳ１０９で「Ｎｏ」の場合）、制御部は駆動軸５を停止させた状態を維持し、停止期間タイマーが、所定時間（ｔ２、４５秒間）が経過したことをカウントすると（ステップＳ１０９で「ｙｅｓ」の場合）、制御部は、ステップＳ１０２に戻って、再び間欠回転期間における回転期間ｔ１の動作を行う。
【００８７】
なお、回転期間ｔ１中に、工程期間タイマーが終了し、所定の期間（２０分）が経過したことを検出した場合（ステップＳ１０４で「Ｙｅｓ」の場合）は、制御部は、間欠回転期間での動作を終了させて（ＥＮＤ）、後述の高速回転期間へと移行する。
【００８８】
また同様に、停止期間ｔ２中に、工程期間タイマーが終了し、所定の期間（２０分）が経過したことが検出された場合（ステップＳ１０８で「Ｙｅｓ」の場合）は、制御部は、間欠回転期間での動作を終了させて（ＥＮＤ）、後述の高速回転期間へと移行する。
【００８９】
このように、本動作例の場合、制御部は、図６に示すフローチャートにしたがって、駆動軸５を間欠駆動する間欠回転工程における一つの回転期間内で、駆動軸５を回転させる副回転期間と駆動軸５を停止させる副停止期間とを繰り返す細分化された間欠駆動を行う。このように、間欠回転工程における回転期間に副回転期間と副停止期間とに分けた間欠駆動を行うことで、回転期間において所定の回転数で連続した回転を行う場合と比較して、カッター４の回転によって生じる調理容器２内の水流を小さくすることができる。このため、液体に比較的小さな具材が混じった「飲むスープ」モードで調理される被調理物の場合でも、具材を、調理容器２の水流による舞い上がりを抑えて底面近傍に位置させることができ、具材に加熱手段である誘導加熱コイル２６からの熱が十分に伝わると共に、水流で具材を移動させることができるので、具材が調理容器２の底面に焦げ付いてしまうことを防止できる。この結果、大きな具材や硬い具材が投入されている場合でも、十分に柔らかくなった状態で後の高速回転工程に移行でき、高速回転工程で具材を良好に粉砕することができる。さらにまた、回転期間において連続してモーター２０が回転しないため、調理時の動作音を低減することができる。
【００９０】
図６に示すフローチャートにしたがって間欠回転工程での動作が終了すると、制御部は、図４のフローチャートにステップＳ０５として示す高速回転工程へと移行する。
【００９１】
図５に示すように、高速回転工程では、制御部は、調理容器２の温度を所定温度Ｔ１に維持した状態で、駆動軸５を間欠回転工程での回転数よりも早い回転数Ｒ１（一例として、３００ｒ．ｐ．ｍ．）で、期間ｔ３（一例として１分間）の間回転させる。高速回転工程において制御部は、調理容器２の温度を所定の温度Ｔ１（一例としての１００℃）から所定の範囲内の温度（一例として±３℃）を維持できるように、誘導加熱コイル２６に適宜必要な電力（３０％〜７０％出力）を連続して、または間欠的に印加する。
【００９２】
このように、調理容器２の温度を所定温度Ｔ１に保った状態で駆動軸５によりカッター４を高速回転させることで、間欠回転工程で芯まで十分に加熱されて柔らかくなると共に、ほぼ一定の大きさになるように切断されていた状態の具材を、微細な粒子状に裁断することができる。この結果、スープの中に微細な具材の食感が残った「飲むスープ」を調理することができる。
【００９３】
所定の時間ｔ３が経過して高速回転工程が終了すると、制御部は、駆動軸５の回転を停止させて、保温工程に移行する（ステップＳ０６）。
【００９４】
保温工程では、調理容器２の温度を調理中の間欠回転工程や高速回転工程での設定温度Ｔ１よりも少し低い保温温度Ｔ３（一例として８０℃）に保つことで、ユーザは、調理の完了から少し時間が経過した後でも、暖かい「飲むスープ」を堪能することができる。
【００９５】
なお、本動作例では、保温工程では制御部は駆動軸５の回転を停止した状態としているが、「飲むスープ」モードでの調理設定が、比較的具材が大きい粒子状で残るさらさら感を求めたスープを調理する設定となっている場合などでは、所定時間以上が経過した場合に、低速で短時間、カッター４を回転させて調理容器２の底面部分に粒子状の具材が沈降して固まってしまうことを防止するように設定することも可能である。
【００９６】
高速回転工程が終了した直後、もしくは、一定時間の保温工程を経た後に、ユーザが調理終了を示す「取消」ボタンを押すことで、制御部は、誘導加熱コイル２６への通電を停止させ、駆動軸５が回転している場合にはこれを停止させて、「飲むスープ」モードを完了させる。
【００９７】
以上説明したように、本実施形態に示すフードプロセッサーでの動作モードでは、制御部が、予備加熱工程、間欠回転工程、高速回転工程を経ることで、具材が微細な粒子状に粉砕されて混じるポタージュスープなどの「飲むスープ」を、自動的に調理することができる。
【００９８】
このとき、特に、間欠回転工程における駆動軸が回転する回転期間において、駆動軸を一定の回転数で連続して回転させるのではなく、副回転期間と副停止期間とにさらに詳細に分割した間欠駆動を行う。このような動作制御を行うことで、本実施形態のフードプロセッサーでは、間欠回転工程において、調理容器内に大きな水流が生じて具材が舞い上がってしまうことを防止し、具材を調理容器の底面近傍に位置させて十分に熱が加わるようにすることができる。また、駆動軸を回転させる時のモーターの動作音を低減して調理を行うことができる。
【００９９】
［第２の動作例］
以下、本実施形態にかかるフードプロセッサーにおける、動作例の変形例としての第２の動作例について説明する。
【０１００】
図７は、第２の動作例における調理容器の温度と駆動軸の回転数の推移を示す図であり、図７において、上段が調理容器の温度の推移を、下段がカッターを回転させる駆動軸の回転数の推移を、それぞれ示している。図７は、第１の動作例における図５に相当する図である。
【０１０１】
この第２の動作例は、「飲むスープ」モードでの調理時における制御部の動作であるため、予備加熱工程、間欠回転工程、高速回転工程、さらに保温工程を経て「飲むスープ」を調理するという基本的な制御内容は、上記［第１の動作例］として示した制御動作と同じである。このため、［第２の動作例］においても、制御部は、図４で示す「飲むスープ」モードでの基本調理のフローチャートにしたがって動作する。また、間欠回転工程と高速回転工程における調理容器の設定温度Ｔ１とＴ２、保温工程における設定温度Ｔ３、間欠回転工程における回転期間ｔ１と停止期間ｔ２の長さ、高速回転工程における高速回転期間ｔ３の長さ、間欠回転工程における回転期間での回転数Ｒ２、高速回転工程における回転数Ｒ１は、いずれも、図５に示す第１の動作例の場合と同じとなっている。
【０１０２】
図７で示す第２の動作例も、ユーザが、ワークボウル２ａの軸通筒１２にカッター４を被せるようにセットし、ワークボウル２ａ内に被調理物としての所定量の水と具材とを投入して、操作部８の「飲むスープ」モードの調理ボタン８ａを操作することで、「飲むスープ」モードでの調理が開始される。
【０１０３】
図４に示すフローチャートにしたがって、「飲むスープ」モードでの調理が開始されると、制御部は、載置確認（ステップＳ０１）の後、誘導加熱コイル２６に通電して、調理容器２を暖める予備加熱工程（ステップＳ０２）を開始する。予備加熱工程では、誘導加熱コイル２６に１００％の電力が連続して投入される。そして、所定の条件が満たされた場合、例えば、温度センサ６が検知する調理容器２の温度が所定の温度Ｔ２（一例として７５℃）を超えたことを検知したことにより、制御部は、間欠回転工程に移行する。
【０１０４】
間欠回転工程（ステップＳ０４）において、制御部は、誘導加熱コイル２６に投入する電力を調整することで調理容器２の温度を所定の温度Ｔ１に維持する。例えば誘導加熱コイル２６に印加される電力は、１００％出力から徐々に低減して３０％〜７０％出力とされ、これを連続してまたは間欠的に印加することで、調理容器２の温度が所定の温度Ｔ１に対して一定の範囲（一例としての±３℃）に維持される。
【０１０５】
また、間欠回転工程で制御部は、モーター２０のコイルに流す電流を制御することで、駆動軸５を所定期間の回転期間（ｔ１、一例として４５秒間）と、所定時間の停止期間（ｔ２、一例として４５秒間）とを繰り返して、所定の回転数（Ｒ２、一例として２００ｒ．ｐ．ｍ．）で間欠的に回転させる。そして、第２の動作例においても、制御部は、間欠回転工程の回転期間ｔ１において副回転期間と副停止期間とにさらに細分化した間欠回転駆動を行っている。
【０１０６】
図８は、第２の動作例における制御部の駆動軸の回転数の制御の流れを示すフローチャートである。図８は、第１の動作例における図６に相当するものである。
【０１０７】
図８に示すように、間欠回転工程が開始される（ＳＴＡＲＴ）と、制御部は工程期間タイマーをスタートさせる（ステップＳ２０１）。この工程期間タイマーは、間欠回転工程として設定された時間をカウントするもので、予備加熱工程から間欠回転工程に移行したときにスタートし、この工程期間タイマーが所定の時間（一例として２０分間）をカウントすると、制御部は間欠回転工程を終了して高速回転工程へと移行する。
【０１０８】
ステップＳ２０１で、工程期間タイマーをスタートさせた後に、制御部は、回転期間と停止期間とを繰り返す間欠回転工程での駆動軸５の回転を制御するために、回転期間タイマーをスタートさせる（ステップＳ２０２）。本実施形態のフードプロセッサーの場合、回転期間ｔ１は、一例として４５秒間であるため、回転期間タイマーは４５秒間をカウントする。
【０１０９】
回転期間ｔ１における最初の副回転期間では、制御部は、所定の時間（ｔ１３、一例として１秒間）、副回転期間の所定の回転数Ｒ２（一例としての２００ｒ．ｐ．ｍ．）よりも低速のプレ回転数Ｒ３（一例として１００ｒ．ｐ．ｍ．）で動作させるプレ回転期間を設ける（ステップＳ２０３）。
【０１１０】
期間ｔ１３（一例として１秒間）のプレ回転期間が終了した後、制御部は、駆動軸５を間欠的に駆動して副回転期間ｔ１４と副停止期間ｔ１５を備えた間欠駆動を行う。このときの駆動軸５の回転動作は、一例としてＯＮ時間である副回転期間ｔ１４が１．５秒、ＯＦＦ時間である副停止期間ｔ１５が０．７秒である（ステップＳ２０４）。
【０１１１】
図７に示すように、第２の動作例において制御部は、複数回が繰り返される副回転期間ｔ１４、ｔ１６の全ての期間で、最初から所定の回転数Ｒ２での回転を行うのではなく、副回転期間ｔ１４、ｔ１６の終了時に所定の回転数Ｒ２となるように、回転数を段階的に増加させていくという制御を行う。このため、プレ回転期間ｔ１３終了直後の１回目の副回転期間ｔ１４では、プレ回転期間ｔ１３での回転数Ｒ３から所定の回転数Ｒ２まで徐々に回転数を増加させる。また、副停止期間ｔ１５の後の２回目以降の副回転期間ｔ１６では、停止状態（回転数０ｒ．ｐ．ｍ．）から所定の回転数Ｒ２まで、徐々に回転数を増加させる。
【０１１２】
その後、制御部は、停止状態から所定の回転数Ｒ２まで徐々に回転数を増加させる副回転期間と、回転を停止させる副停止期間とを繰り返す間欠駆動を行いながら、回転期間タイマーが所定時間経過（一例としての４５秒間）を検知し、終了となるか否かを確認する（ステップＳ２０６）。なお、図５と同様に、図面の煩雑化を避けるために、図７においても３回目の副回転期間終了時に回転期間ｔ１が終了するように図示しているが、本実施形態の場合、回転期間４５秒間に対して、プレ回転期間ｔ１３が１秒間で、細分化された間欠駆動の一周期が２．２秒（１．５秒＋０．７秒）であるため、実際には、一つの回転期間ｔ１の中に、２０回の副回転期間ｔ１４、ｔ１６が含まれることとなる。
【０１１３】
回転期間タイマーが所定期間ｔ１、本動作例では４５秒間経過したことを検知すると（「Ｙｅｓ」の場合）、間欠回転工程における停止期間ｔ２に移行するため、制御部は、停止期間をカウントする停止期間タイマーをＯＮさせる（ステップＳ２０７）。本動作例では、停止期間ｔ２も回転期間ｔ１と同様に４５秒間と設定されている。
【０１１４】
停止期間タイマーを動作させた後、制御部は駆動軸５の回転を停止させて（ステップＳ２０８）、停止期間ｔ２にはいる。
【０１１５】
停止期間タイマーが、所定時間（ｔ２、４５秒間）が経過するまで（ステップＳ２１０で「Ｎｏ」の場合）、制御部は駆動軸を停止させた状態を維持し、停止期間タイマーが、所定時間（ｔ２、４５秒間）が経過したことを検出すると（ステップＳ２１０で「ｙｅｓ」の場合）、制御部は、ステップＳ２０２に戻って、再び間欠回転期間における回転期間の動作を行う。
【０１１６】
なお、回転期間ｔ１中に、工程期間タイマーが終了し、所定の期間（２０分）が経過したことを検出した場合（ステップＳ２０５で「Ｙｅｓ」の場合）は、制御部は、間欠回転期間での動作を終了させて（ＥＮＤ）、次の高速回転期間へと移行する。
【０１１７】
また、同様に、停止期間ｔ２中に、工程期間タイマーが終了し、所定の期間（２０分）が経過したことを検出した場合（ステップＳ２０９で「Ｙｅｓ」の場合）は、制御部は、間欠回転期間での動作を終了させて（ＥＮＤ）、次の高速回転期間へと移行する。
【０１１８】
このように、本動作例の場合、制御部は、図８に示すフローチャートにしたがって駆動軸を間欠駆動する間欠回転工程における一つの回転期間内で、最初に一定期間、回転期間における所定の回転数よりも低い回転数で駆動軸を回転させるプレ回転駆動を行い、その後、駆動軸を回転させる副回転期間と駆動軸を停止させる副停止期間とを繰り返す細分化された間欠駆動を行う。また、制御部は、それぞれの副回転期間において、最初から所定の回転数での回転を行うのではなく、副回転期間の最後に所定の回転数に到達するように、それぞれの副回転期間において回転数を段階的に増加させる制御を行う。
【０１１９】
上記説明した第１の動作例とは異なり、副回転期間において制御部が、その冒頭から所定の回転数での回転を行うのではなく、段階的に回転数を増加させて副回転期間の最後に所定の回転数に到達する回転制御を行うことで、副停止期間から副回転期間への移行時に、停止していた被調理物が急激に撹拌されることを防止することができる。このため、カッターの回転に伴って、調理容器内に溜まっていた蒸気と共に被調理物が蒸気口である通気孔から飛び出してしまうという不所望な事態を回避することができる。
【０１２０】
なお、それぞれの回転期間の最初は、停止期間の間カッターの回転が停止されていた直後の状態であるため、副停止期間終了直後の副回転期間開始時の状態よりも、さらに長い期間カッターが停止していたこととなる。このため、回転期間の冒頭の期間は、カッターを急激に回転した場合に被調理物が蒸気と共に蒸気口から外部へと飛び出すおそれがより高まっている状態と言うことができる。そこで、本第２の動作例のように、間欠回転工程の回転期間の冒頭に、間欠回転工程での所定の回転数よりも低い回転数で一定の期間カッターを回転させるプレ回転期間を設けることで、より効果的に、被調理物の蒸気口からの飛び出しを防止することができる。なお、プレ回転期間を設けることで所定の効果が得られる原因については、はっきりとは判明していないが、比較的長い間カッターが回転していなかったことで、被調理物の中に気泡が混じり込みやすく、プレ回転期間の低速回転によって、この被調理物内部の気泡を除去できるからではないかと推定できる。このため、プレ回転期間を設けるに当たり、プレ回転期間での回転数と、プレ回転期間の長さを定めるにあたっては、被調理物であるスープとなる液体の粘度や具材の大きさ等との関係から、これらの被調理物が加熱されることにより生じる気泡が、どのくらい被調理物内部に留まりやすいのかという観点から設定することが好ましい。
【０１２１】
図８に示すフローチャートにしたがって間欠回転工程での動作が終了すると、制御部は、図４のフローチャートにステップＳ０５として示す高速回転工程へと移行する。
【０１２２】
図７に示すように、高速回転工程で駆動部は、調理容器２の温度を所定温度Ｔ１に維持した状態で、駆動軸５を間欠回転工程での回転数よりも早い回転数Ｒ１（一例として、３００ｒ．ｐ．ｍ．）で、期間ｔ３（一例として１分間）の間回転させる。このとき、図７に示すように制御部は、高速回転工程の開示時点から徐々に回転数を増加させていって、一定時間経過後、例えば、高速回転期間の長さ１分間のうちの最初の１０秒間が経過したときに所定の回転数Ｒ１に到達するように制御する。
【０１２３】
第２の動作例では、第１の動作例で示したように、高速回転工程の開始と同時に所定の回転数Ｒ１での駆動軸５の回転を開始させるのではなく、制御部は、高速回転工程においても徐々に回転数を増加させるように制御している。このようにすることで、高速回転工程で必要とされるカッターの回転数を確保しつつ、停止状態か、もしくは、より低い回転数で回転していた状態であった高速回転工程への移行前の状態から一気にカッターを高速回転させた場合に生じる、被調理物の蒸気口からの外部への飛び出しを効果的に低減することができる。
【０１２４】
このように、調理容器の温度を所定温度Ｔ１に保った状態でカッターを高速回転させることで、間欠回転工程で芯まで十分に加熱されて柔らかくなると共に、ほぼ一定の大きさに切断されていた状態の具材を、微細な粒子状に裁断することができる。また、このとき、調理容器内に溜まっていた蒸気と共に、具材が蒸気口から外部へと飛び出してしまうことを防止することができ、スープの中に微細な具材の食感が残った「飲むスープ」を吹きこぼれ等の不所望な事態を生じさせることなく調理することができる。
【０１２５】
高速回転工程が終了すると、制御部は、モーターの回転を停止させて保温工程に移行し（ステップＳ０６）、その後、調理プログラムを終了する。
【０１２６】
このように、図７および図８を用いて説明した本実施形態のフードプロセッサーにおける第２の動作例では、制御部は、間欠回転工程の回転期間における副回転期間において、駆動軸の回転数を段階的に増加させて所定の回転数となるように制御する。このようにすることで、副回転期間の開始時に被調理物である具材が、調理容器内の蒸気と共に、蒸気口から外部へと飛び出してしまうことを効果的に防止することができる。
【０１２７】
また、制御部は、それぞれの回転期間の最初の副回転期間の開始前に、駆動軸を副回転期間での回転数よりも低速で一定期間回転させる。このようなプレ回転期間を設けることで、比較的長時間停止していたカッターを回転させるために蒸気口からの具材の飛び出し出しがより生じやすい間欠回転工程の回転期間の開始時でも、具材の飛び出しを効果的に防止することができる。
【０１２８】
さらにまた、高速回転工程における駆動軸の回転開始時においても、駆動軸の回転を段階的に増加させる制御を行うことで、高速回転工程への移行時においても、蒸気口からの具材の飛び出しを効果的に防止することができる。特に、ユーザが、所定の範囲量以上の被調理物を投入して調理を開始してしまった場合や、「飲むスープ」モードでの調理が開始されてからしばらく経過した後に具材を追加したため、カッターが回転した際に具材が想定のとおりに柔らかくなっていない場合など、蒸気口からの具材の飛び出しが生じやすい場合であっても、これを効果的に防止することができる。この結果、ユーザが想定外の使用方法で使用した場合でも具材の飛び出しという不所望な事態を効果的に回避することができる、より安全性の高いフードプロセッサーを実現することができる。
【０１２９】
なお上記した第２の動作例では、副回転期間と高速回転工程において、制御部が、駆動軸の回転数を連続的に直線状に増加させる場合を例として説明した。しかし、第２の動作例において、駆動軸の回転を段階的に増加させる制御方法としては、回転数を時間の経過と共に同じ比率で直線状に増加させる場合には限られず、増加率が変化しながら回転数が増加する、すなわち、時間の経過と共に回転数が曲線状に増大するような制御を行うことができる。この場合において、制御部は、回転数の増加度合いが徐々に減少する場合、すなわち、回転数を示すグラフが上に凸の曲線状となる場合、また、回転数の増加度合いが徐々に大きくなる場合、すなわち、回転数のグラフが下に凸の曲線となる場合のいずれの制御も可能である。また、制御部が、回転数の増加期間の内の一部の期間においてのみ直線状に回転数が増加するように制御することもできる。
【０１３０】
さらに、制御部は、回転数の増加が連続的に漸次増加するような制御に限らず、２段から数段の階段状に、不連続な増加度合いで回転数が増加するように制御することができる。
【０１３１】
また、上記した第２の動作例では、制御部がプレ回転期間において、最初から所定の回転数Ｒ３で駆動軸を回転させる制御例を説明したが、これに限られず、制御部は、プレ回転期間においても連続的にまたは階段状に、回転数を増加させるように制御することができる。
【０１３２】
さらに、上記第２の動作例では、副回転期間において、副回転期間の最後に所定の回転数（上記例におけるＲ２）に到達するように回転数を増加させる制御を行うことを例示したが、制御部は、副回転期間の中間部分で所定の回転数に到達して、その後副回転期間が終了するまでの間は当該所定の回転数での回転を行うように制御することもできる。
【０１３３】
さらにまた、上記した第２の動作例では、制御部が、回転期間の最初にプレ回転期間を設け、副回転期間と高速回転工程との両方において駆動軸の回転数を段階的に増加させる制御を行う場合を説明した。しかし、本開示のフードプロセッサーにおける制御部での制御動作は、上記第２の動作例の動作に限定されるものではない。例えば、副停止期間の長さが短い場合や、具材の種類や量などの関係から、ある程度の時間にわたってカッターが停止した状態であっても被調理物内での気泡の発生が抑えられることなどによって、最初の副回転期間において、段階的に回転数を増加させる制御のみで具材の吹き出しを確実に防止できるのであれば、プレ回転期間を設ける必要はない。
【０１３４】
また、上記第２の動作例では、間欠回転工程における複数の副回転期間全てにおいて、回転数を段階的に増加させる制御を行う場合を例示したが、制御部は、複数の副回転期間の全てで回転数を段階的に増加させる制御を行うことは必須ではない。特に回転期間の最初にプレ回転期間を設けた場合には、回転期間の後半部分の副回転期間では回転数を増加させる制御を行わなくても、具材の飛び出しを防止できる場合がある。
【０１３５】
また、高速回転期間移行時に具材が十分に小さくなっている場合や、被調理物の量がもともと少ない場合など、高速回転工程において駆動軸の回転数を段階的に増加させる制御を行わなくてもよい場合も存在する。
【０１３６】
このように、第２の動作例での調理を行う場合には、被調理物における具材の種類や大きさ、全体量、カッターの停止期間の長さなどを勘案して、具材の飛び出しを効果的に防止できるように制御部が駆動軸の回転制御を行うことが好ましい。
【０１３７】
［その他の調理モードでの制御］
ここで、「食べるスープ」モードや、「あたため再加熱」モードなど、「飲むスープ」モード以外の調理モードにおける駆動軸の回転制御について説明する。
【０１３８】
「食べるスープ」モードでは、「飲むスープ」モードのように具材を細かい粒子状に粉砕しない。「食べるスープ」モードにおいて、調理開始のボタン操作の後、載置確認を行った後に、制御部は、駆動軸５を停止させた状態で誘導加熱コイル２６に電力を投入する加熱工程に移行する。
【０１３９】
この加熱工程では、誘導加熱コイル２６を用いて、調理容器２の温度が所定の温度Ｔ１（一例として１００℃）となるように加熱し、その状態を維持する。このため、制御部は、誘導加熱コイル２６に対し、最初は１００％の電力を投入した後、調理容器２の温度が所定の温度Ｔ１に近づくと徐々に投入電力を小さくし、その後３０％から７０％程度の電力を連続的または間欠的に投入して調理容器２の温度制御を行って、被調理物の加熱を続ける。
【０１４０】
具材が十分に柔らかくなるなど、「食べるスープ」が調理できたと判断できる時間が経過することを確認すると、制御部は必要に応じて保温工程に移行した後、「食べるスープ」モードでの調理を終了する。
【０１４１】
このように、「食べるスープ」モードでは、具材をそのままの状態で残すことが必要となるため、基本的な調理プログラムにおいては、調理工程期間の全体において積極的に駆動軸５を回転させることはない。
【０１４２】
しかし、大きすぎる具材を一定の範囲内の大きさに切断する必要がある場合や、加熱途中で調理容器２の底部に具材が焦げ付いてしまうことを防止するために、「食べるスープ」モードにおいても、低速でかつ間欠的に駆動軸５を回転させる場合がある。このような場合、駆動軸５を間欠的に回転させる工程中の所定の期間駆動軸を回転させる回転期間において、上記「飲むスープ」モードでの制御と同じように、制御部は、回転期間を副回転期間と副停止期間とにさらに細分化した間欠駆動を行うことができる。このようにすることで、回転期間に連続して駆動軸を回転させる場合と比較して、カッターによって具材を必要以上に切断してしまって、「食べるスープ」の特徴である具材の形を維持することができなくなってしまうというおそれを回避できる。また、モーターの動作音を低減することができる。
【０１４３】
「あたため再加熱」モードでは、調理済みのスープを再び温めることが目的となるため、制御部は誘導加熱コイル２６に電力を投入して調理容器２を暖めるのみで、駆動軸５を回転させてカッター４を回転させる制御を行わないことが基本となる。
【０１４４】
しかし、「飲むスープ」を再加熱する場合に、細かな粒子状の具材が調理容器２の底部に固まってしまって焦げ付いてしまうことを防止する場合や、「食べるスープ」モードでより効率的に短時間でスープを温めたい場合などにおいて、低速でかつ間欠的に駆動軸５を回転させる場合がある。このような場合でも、駆動軸５を間欠的に回転させる工程中の所定の期間駆動軸を回転させる回転期間において、上記「飲むスープ」モードでの制御と同じように、制御部は、回転期間を副回転期間と副停止期間とにさらに細分化した間欠駆動を行うことができる。このようにすることで、回転期間に連続して駆動軸を回転させる場合と比較して、具材が調理容器の底部に焦げ付いてしまうことを防止することができ、また、カッターによって具材を必要以上に切断してしまって「食べるスープ」の特徴である具材の形を維持することができなくなってしまう、というおそれを回避できる。また、モーターの動作音を低減することができる。
【０１４５】
このように、本開示にかかるフードプロセッサーの駆動軸の回転制御は、さまざまな調理プログラムにおいて、カッターを間欠的に回転させる場合に適用することができる。
【０１４６】
以上、各種の調理モードを含めた具体的な動作例を示して説明したように、本開示にかかるフードプロセッサーでは、調理容器を過熱している状態で駆動軸を間欠的に回転させる間欠回転工程における回転期間で、制御部が、回転期間を副回転期間と副停止期間とに細分化した間欠回転駆動をおこなう。このようにすることで、間欠回転工程の回転期間において、大きな水流が生じて具材が舞い上がってしまったり、必要以上に具材が切断されてしまったり、またモーターの動作音が大きくなってしまったりする不所望な状態を効果的に回避することができる。
【０１４７】
また、調理容器を加熱した状態で、細分化された間欠駆動における副回転期間や、高速回転期間などの、駆動軸の回転が高速回転へと変化する場合において、制御部が、駆動軸の回転を段階的に増加するように制御することで、調理容器内の蒸気と共に被調理物の具材が、蒸気口から外部に飛び出してしまうことを効果的に防止することができる。
【０１４８】
さらにまた、調理容器を過熱した状態で、比較的長時間停止していた駆動軸を回転させる最初の期間前に、所定の回転数よりも低速回転で一定期間駆動軸を回転させるように制御する。このようにすることで、例えば、長時間の停止状態において被調理物内に溜まった気泡を逃がすことができ、蒸気口からの被調理物の飛び出しをさらに効果的に防止することができる。
【０１４９】
以上の説明において、本開示にかかるフードプロセッサーとして、駆動軸の回転制御を、モーターのコイルに流す電流量を直接調整することで制御する構成について説明した。この場合には、モーターの動作回路として例えばインバータ回路を用いることができる。また、その他にも、変速機を用いるなど、モーターの回転数を所定の値に制御する既知のさまざまな方法を利用して、駆動軸の回転を制御することができる。
【０１５０】
また、上記説明では、加熱手段として誘導加熱コイルを用いたいわゆるＩＨ方式の加熱手段を備えたものを例示したが、これに限られず、抵抗加熱方式のヒータによって、調理容器を加熱する方式を採用することもできる。
【０１５１】
さらに、上記説明において、温度センサとして調理容器の底面に接触してその温度を検出するものを例示したが、温度センサは、調理容器の底面以外の温度を検出する構成でもよく、また、赤外線を利用するなどして調理容器に直接接触せずに所定の間隔を有した状態で調理容器の温度を検出する手段を利用することができる。
【０１５２】
また、フードプロセッサーの全体構成として、本体部の載置台の側方に側面側上部が形成され、側面側上部の内部にモーターが配置され、モーターのシャフトと駆動軸を回転させるプーリーとが連動ベルトで連動して回転する構成を例示した。しかし、本開示のフードプロセッサーにおいて、本体部の外観形状や、モーターの回転を駆動軸に伝える回動機構に制限はなく、例えば、本体部としてその上面全体が載置台となるような形状とするとともに、本体部内部のモーターの回転軸と駆動軸とを一体化して、モーターの回転を直接的に駆動軸に伝えるような構成とすることもできる。
【０１５３】
さらに、モーターと駆動軸を一体化しない構成としても、上記実施形態で説明したベースプレートを備えた構成には限られず、例えば、モーターと駆動軸とをそれぞれ別々の部材を用いて、本体部内部で支持する構成とすることができる。さらに、上記構成例では、駆動軸に固着されたプーリーに、モーターの回転を伝達する伝達部材として、シャフトに固着された回転板とプーリーとを連動させる連動ベルトとを用いる構成としたが、例えば、回転板を設けずに連動ベルトをモーターのシャフトに直接巻き付けて、プーリーを回転させる構成とすることができる。
【０１５４】
また、上記例では、電動調理器の例としてカッターが交換可能なフードプロセッサーを例示して説明したが、本発明は、他の電動調理器、例えば、いわゆるジューサーと称されるカッターが交換可能でない電動調理器に適用することができる。さらに、いわゆるミルや脱穀器など、調理容器と調理容器内で回転して各種調理を行うカッターを備え、被調理物を加熱する調理プログラムが設定可能な各種電動調理器に適用することができる。
【産業上の利用可能性】
【０１５５】
本開示にかかる電動調理器は、カッターによる裁断・撹拌調理機能と被調理物の加熱機能を備えた電動調理器として有用である。
【符号の説明】
【０１５６】
１    本体部
１ｃ  載置台
２    調理容器
４    カッター
５    駆動軸
６    温度センサ
１２    軸通筒
２０    モーター（回転機構）
２６    誘導加熱コイル（加熱手段）
２８    電気回路部品（制御部）
【図１】
0006331091.tif 000002
【図２】
0006331091.tif 000003
【図３】
0006331091.tif 000004
【図４】
0006331091.tif 000005
【図５】
0006331091.tif 000006
【図６】
0006331091.tif 000007
【図７】
0006331091.tif 000008
【図８】
0006331091.tif 000009